(57)【要約】      （修正有）【課題】  機能液充填パック内に空気が侵入することが防止され、しかも溶解性の高い機能液を充填することができる機能液充填パックを提供すること。【解決手段】  機能液充填パックは、機能液が充填される可撓性の袋状容器と、袋状容器に取り付けられた口金（スパウト）と、口金に圧入されて口金内を封止し、使用時には機能液を取り出す針が刺される栓７と、を有し、栓７の充填された機能液に接する側は、耐溶剤性部材８で構成され、栓７の外気に接する側はガスバリア性部材９で構成されている。【選択図】  図４
2006143239.tif 000002
【特許請求の範囲】
【請求項１】
液滴吐出ヘッドに供給する機能液が充填される機能液充填パックであって、
前記機能液が充填される袋状容器と、
前記袋状容器に取り付けられた口金と、
前記口金に圧入されて該口金内を封止し、使用時には前記機能液を取り出す針が刺される栓と、
を有し、
前記栓の前記機能液に接する側が耐溶剤性部材で構成され、該栓の外気に接する側がガスバリア性部材で構成されたことを特徴とする機能液充填パック。
【請求項２】
前記ガスバリア性部材のガス透過性が２０ｃｃ・ｃｍ／ｃｍ２・ｓｅｃ・ａｔｍ以下であることを特徴とする請求項１記載の機能液充填パック。
【請求項３】
前記ガスバリア性部材のガス透過性が２．０ｃｃ・ｃｍ／ｃｍ２・ｓｅｃ・ａｔｍ以下であることを特徴とする請求項１記載の機能液充填パック。
【請求項４】
前記耐溶剤性部材は、フッ素ゴム、シリコンゴム、ウレタンゴム、フロロシリコンゴム、クロロプレンゴム及び水酸化ニトリルゴムからなる群から選択され、
前記ガスバリア性部材は、ブチルゴムであることを特徴とする請求項１記載の機能液充填パック。
【請求項５】
前記耐溶剤性部材と前記ガスバリア性部材の間に耐溶剤性又はガスバリア性のシートが挿入されたことを特徴とする請求項１記載の機能液充填パック。
【請求項６】
前記機能液が、電気的装置、光学的装置又は電気光学的装置の構成要素となる成分と、溶剤と、を含むことを特徴とする請求項１記載の機能液充填パック
【請求項７】
請求項１〜６記載の機能液充填パックを用いて、前記液滴吐出ヘッドに前記機能液を供給することを特徴とする液滴吐出装置。
【請求項８】
請求項７記載の液摘吐出装置を有し、前記液滴吐出ヘッドから、電気的装置、光学的装置又は電気光学的装置の構成要素となる成分を含む前記機能液を基板に吐出することを特徴とする電気光学装置の製造装置。
【発明の詳細な説明】
【技術分野】
【０００１】
本発明は、インクパックなどの機能液充填ないし密封袋ないしパック等の機能液充填パック、特に、電気工学装置等を製造するための工業用機能液充填パック、それを用いた液滴吐出装置及びそれを用いた電気光学装置の製造装置に関する。
【背景技術】
【０００２】
インクジェット式印刷装置において、液滴吐出ヘッドに供給される機能液に溶存気体があると、液滴吐出ヘッドなどでキャビテーションにより、気泡が発生し、吐出不良が起こりやすいという問題が生じる。そのため、液滴吐出ヘッドに機能液を供給する機能液充填パックの袋は気体を透過しにくい素材で形成される。
【０００３】
特許文献１には、図１に示すように、空気を透過しにくい素材で形成された２枚のフィルムの周り２４ｂ，２４ｃが溶着されて袋２４ａを形成し、袋２４ａの一端に口金（スパウト）５０が取り付けられ、口金５０内がゴム栓で封止された機能液充填パック２４が開示されている。使用時は、ゴム栓に中空針が刺され、中空針やチューブを通じて機能液充填パック内のインクが液滴吐出ヘッドに向かって導出される。
【０００４】
【特許文献１】特開２００３−２００５９０（図３）
【発明の開示】
【発明が解決しようとする課題】
【０００５】
工業用のインクジェット式印刷装置の分野では、様々な溶媒や強酸性又は強アルカリ性などの溶解性の高い機能液を用いることがある。
【０００６】
一般に、溶解性が低く且つ、ガス透過性の低い部材の開発は困難である。
【０００７】
本発明の目的は、機能液充填パック内に気体が侵入することが防止され、しかも溶解性の高い機能液を充填することができる機能液充填パックを提供することである。
【課題を解決するための手段】
【０００８】
第１の視点において、本発明は、液滴吐出ヘッドに供給するインクが充填される機能液充填パックであって、前記インクが充填される袋状容器と、前記袋状容器に取り付けられた口金と、前記口金に圧入されて該口金内を封止し、使用時には前記機能液を取り出す針が刺される栓と、を有し、前記栓の前記機能液に接する側が耐溶剤性部材で構成され、該栓の外気に接する側がガスバリア性部材で構成されたことを特徴とする機能液充填パックを提供する。
【０００９】
第１の視点において、本発明によれば、第１に、機能液充填パックに溶解性の高い機能液を充填する場合であっても、耐溶解性とガスバリア性を兼ね備えた栓によって、機能液充填パック内への外気の侵入が防止され、この結果、機能液を液滴状にして吐出する際、キャビテーションが発生することが防止される。第２に、外気との化学反応による機能液品質劣化が防止される。第３に、溶媒が揮発して機能液充填パック外に逃げ、機能液充填パック内の機能液濃度が変化することが防止される。
【００１０】
第２の視点において、本発明は、前記ガスバリア性部材のガス透過性が２０ｃｃ・ｃｍ／ｃｍ２・ｓｅｃ・ａｔｍ以下であることを特徴とする機能液充填パックを提供する。
【００１１】
第２の視点において、本発明によれば、機能液充填パック内への外気の侵入が防止される。
【００１２】
第３の視点において、本発明は、前記ガスバリア性部材のガス透過性が２．０ｃｃ・ｃｍ／ｃｍ２・ｓｅｃ・ａｔｍ以下であることを特徴とする機能液充填パックを提供する。
【００１３】
第３の視点において、本発明によれば、機能液充填パック内への外気の侵入が防止される。
【００１４】
第４の視点において、本発明は、前記耐溶剤性部材は、フッ素ゴム、シリコンゴム、ウレタンゴム、フロロシリコンゴム、クロロプレンゴム及び水酸化ニトリルゴムからなる群から選択され、前記ガスバリア性部材は、ブチルゴムであることを特徴とする機能液充填パックを提供する。
【００１５】
第４の視点において、本発明によれば、耐溶解性とガスバリア性を兼ね備えたゴム栓が提供される。
【００１６】
第５の視点において、本発明は、前記耐溶剤性部材と前記ガスバリア性部材の間に耐溶剤性又はガスバリア性のシートが挿入されたことを特徴とする機能液充填パックを提供する。
【００１７】
第５の視点において、本発明によれば、さらに、耐溶解性とガスバリア性を兼ね備えたゴム栓が提供される。
【００１８】
第６の視点において、本発明は、前記機能液が、電気的装置、光学的装置又は電気光学的装置の構成要素となる成分と、それらの溶剤と、を含むことを特徴とする機能液充填パックを提供する。
【００１９】
第６の視点において、本発明によれば、機能液充填パック内の機能液の劣化、気泡の混入が高度に防止されるため、民生用又は一般印刷用のインクに比べて溶解性の高い溶媒等を含むことが多く、高品質が要求される電気光学装置製造用の機能液を貯蔵する機能液充填パックを提供することができる。
【００２０】
第７の視点において、本発明は、前記機能液充填パックを用いて、前記液滴吐出ヘッドに前記機能液を供給することを特徴とする液滴吐出装置を提供する。
【００２１】
第７の視点において、本発明によれば、気泡の混入が高度に防止されるため、キャビテーションの防止が要求される液滴吐出装置に好適なインクを提供することができる。
【００２２】
第８の視点において、本発明は、前記液摘吐出装置を有し、前記液滴吐出ヘッドから、電気的装置、光学的装置又は電気光学的装置の構成要素となる成分を含む前記機能液を基板に吐出することを特徴とする電気光学装置の製造装置を提供する。
【００２３】
第８の視点において、本発明によれば、気泡の混入が高度に防止されるため、キャビテーションの防止が要求される液滴吐出装置に好適な機能液が提供され、そして、機能液充填パック内の機能液の劣化、気泡の混入が高度に防止されるため、民生用又は一般印刷用のインクに比べて溶解性の高い溶媒等を含むことが多く、高品質が要求される電気光学装置製造用の機能液を提供することができる。
【発明の効果】
【００２４】
本発明の効果を説明する。第１に、機能液充填パックに溶解性の高い機能液を充填する場合であっても、耐溶解性とガスバリア性を兼ね備えた部材によって、機能液充填パック内への外気の侵入が防止され、この結果、機能液を液滴状にして吐出する際、キャビテーションが発生することが防止される。第２に、外気との化学反応による機能液品質劣化が防止される。第３に、溶媒が揮発して機能液充填パック外に逃げ、機能液充填パック内の機能液濃度が変化することが防止される。
【発明を実施するための最良の形態】
【００２５】
本発明の好ましい実施の形態においては、機能液充填パックの口金（スパウト）を、ポリエチレン、ポリプロピレン又はポリエチレンテレフタレートから構成する。
【００２６】
本発明の好ましい実施の形態においては、機能液充填パックの口金（スパウト）に、ゴム栓を支持するフランジ部を設ける。
【００２７】
本発明の好ましい実施の形態においては、機能液充填パックの口金（スパウト）に、入口内周部にテーパーを設け、栓、例えば、ゴム栓の圧入を容易にする。
【００２８】
本発明の好ましい実施の形態においては、ガス透過性の低い袋状容器、例えば、アルミフィルムの両面に耐溶解性又はガスバリア性を有する樹脂がコーティング又はフィルム状の樹脂が積層されてなる袋状容器が用いられ、熱溶着により袋状容器が閉じられる。
【００２９】
本発明の好ましい実施の形態においては、大気中におけるガスバリア性部材のガス透過性が２０ｃｃ・ｃｍ／ｃｍ２・ｓｅｃ・ａｔｍ以下、さらに好ましくは、２．０ｃｃ・ｃｍ／ｃｍ２・ｓｅｃ・ａｔｍ以下である。
【００３０】
本発明の好ましい実施の形態において、本発明の機能液充填パックは液滴吐出ヘッドに接続され、電気光学装置等の製造装置の機能液供給源となる。
【００３１】
図２は、本発明の機能液充填パックを液滴吐出ヘッドに接続し、電気光学装置等の製造装置に適用する様子を示す模式図である。
【００３２】
図２を参照すると、本発明の好ましい実施の形態に係る電気光学装置等の製造装置は、機能液が充填された本発明の機能液充填パック１が、液滴吐出を安定化するバルブユニット３を介して、液滴吐出ヘッド２に接続されている。液滴吐出ヘッドから、熱又は振動等により液滴が吐出されると、バルブユニット３及び機能液供給ラインに負圧が生じ、機能液充填パック１から、バルブユニット３の機能液取入口３ａ及び機能液排出口３ｂを通じて、液滴吐出ヘッド２に機能液が供給される。
【実施例１】
【００３３】
図３は、本発明の一実施例に係る機能液充填パックの構造を説明するための概観図である。
【００３４】
図３を参照すると、機能液充填パック４は、インクが充填される可撓性の袋状容器５と、袋状容器５に取り付けられた口金（スパウト）６と、口金６に圧入されて口金６内を封止し、使用時には機能液を取り出す針が刺される栓７と、を有している。
【００３５】
図４は、図３に示した機能液充填パックの口金内の断面を説明するための模式図である。
【００３６】
図４を参照すると、栓７の充填された機能液に接する側は、耐溶剤性部材８で構成され、栓７の外気に接する側はガスバリア性部材９で構成されている。
【００３７】
本発明の一実施例に係る機能液充填パックによれば、機能液充填パック４に気体が入らないよう機能液が充填され、機能液使用につれて可撓性の袋が縮むため、栓７と機能液が常時接する場合であっても、栓７の機能液接液側が耐溶剤性部材８から形成されているため、部材（例えば、ゴム部材）の溶解による機能液の劣化等が防止される。一方、栓７の大気接気側はガスバリア性部材９から構成されているため、機能液への外気の侵入も防止される。
【００３８】
図５は、本発明の他の実施例に係る機能液充填パックの構造を説明するための図である。
【００３９】
図５を参照すると、本発明の他の実施例に係る機能液充填パックにおいては、耐溶剤性部材８とガスバリア性部材９の間に、ガスバリア性のシート１０が挿入され、ガスバリア性がより高められている。また、耐溶剤性をより高める場合には、ガスバリア性のシートに代えて、耐溶剤性のシートを挿入すればよい。
【産業上の利用可能性】
【００４０】
本発明の機能液充填パックは、印刷を行う工業用装置全般の機能液供給源に適用することができ、中でも、カラーフィルタ、配向膜及びそれらを含む液晶表示装置などのパネル、有機ＥＬ素子などを発光素子とするＥＬ装置、ＦＥＤ装置、ＰＤＰ装置、さらに、プリント基板上の金属配線及び電極、などの電気光学装置の製造装置に好適に適用される。
【図面の簡単な説明】
【００４１】
【図１】従来例に係る機能液充填パックの構造を説明するための概観図である。
【図２】本発明の機能液充填パックが接続される液滴吐出ヘッド及びそれを用いた電気光学装置等の製造装置を説明するための模式図である。
【図３】本発明の一実施例に係る機能液充填パックの構造を説明するための概観図である。
【図４】図３に示した機能液充填パックの口金内の断面を説明するための模式図である。
【図５】本発明の他の実施例に係る機能液充填パックの構造を説明するための図である。
【符号の説明】
【００４２】
１  機能液充填パック
２  液滴吐出ヘッド
３  バルブユニット
３ａ  インク取入口
３ｂ  インク排出口
４  機能液充填パック
５  袋状容器
６  口金（スパウト）
７  栓（ゴム栓）
８  耐溶剤性部材（ガスバリア性ゴム）
９  ガスバリア性部材（ガスバリア性ゴム）
１０  ガスバリア性のシート
【図１】
2006143239.tif 000003
【図２】
2006143239.tif 000004
【図３】
2006143239.tif 000005
【図４】
2006143239.tif 000006
【図５】
2006143239.tif 000007